(57)【要約】【課題】プッシュ型で配信される配信情報からユーザの関心ある配信情報を選択してユーザの行動パターンに合わせて提示する受信端末において、受信端末の事前設定に関するユーザの手間を省く。【解決手段】受信端末１は、スケジュール情報が配信情報の受信時間に設定されていないと判定したとき、かつユーザの関心分野を表すキーワードが配信情報に含まれると判定したとき、受信端末１が配信情報を受信したことを提示する処理を行う提示処理部１３３と、提示処理部１３３に制御される提示部１５と、を備える。【選択図】図１
2010103902.tif 000002
【特許請求の範囲】
【請求項１】
情報配信サーバからネットワークを介してプッシュ型で配信される配信情報を受信する受信端末であって、
前記受信端末が処理した処理情報を格納する記憶部と、
前記ネットワークを介して前記配信情報を受信する通信部と、
前記通信部が受信した前記配信情報を前記記憶部に格納させる通信処理部と、
操作入力部が受け付けたユーザの操作入力に基づいてスケジュール情報を生成し、前記スケジュール情報を前記記憶部に格納させるスケジュール管理部と、
前記記憶部から取得した前記スケジュール情報が前記配信情報の受信時間に設定されているか否かを判定するスケジュール判定部と、
前記記憶部から取得した前記処理情報からユーザの関心分野を表すキーワードを抽出するキーワード抽出部と、
前記キーワードが前記配信情報に含まれるか否かを判定するキーワード判定部と、
前記スケジュール判定部が、前記スケジュール情報が前記配信情報の受信時間に設定されていないと判定したとき、かつ前記キーワード判定部が、前記キーワードが前記配信情報に含まれると判定したとき、前記受信端末が前記配信情報を受信したことを提示させる提示処理部と、
前記提示処理部に制御されて前記受信端末が前記配信情報を受信したことを提示する提示部と、
を備えることを特徴とする受信端末。
【請求項２】
請求項１に記載の受信端末において、
前記スケジュール管理部は、前記操作入力部が受け付けた前記ユーザの操作入力に基づいて前記スケジュール情報を複数のカテゴリのいずれかに区分して生成し、
前記記憶部は、前記各カテゴリと前記各カテゴリに対応しているカテゴリワードとを関連付けて格納するカテゴリデータベース部を含み、
前記スケジュール判定部が、前記スケジュール情報が前記配信情報の受信時間に設定されていると判定したとき、前記カテゴリデータベース部から前記スケジュール情報が区分されている前記カテゴリに関連付けられている前記カテゴリワードを取得して、前記カテゴリワードが前記配信情報に含まれるか否か判定するカテゴリ判定部を備え、
前記カテゴリ判定部が、前記カテゴリワードが前記配信情報に含まれると判定したとき、前記提示処理部は、前記受信端末が前記配信情報を受信したことを前記提示部に提示させることを特徴とする受信端末。
【請求項３】
請求項２に記載の受信端末において、
前記カテゴリ判定部が、前記カテゴリワードが前記配信情報に含まれないと判定したとき、前記通信部に前記配信情報の再送要求を前記情報配信サーバへ送信させる再送要求部を備えることを特徴とする受信端末。
【請求項４】
請求項１乃至３いずれかに記載の受信端末において、
前記キーワード判定部が、前記配信情報が前記キーワードと一致する単語を含まないと判定したとき、前記受信端末は前記記憶部から前記配信情報を消去することを特徴とする受信端末。
【請求項５】
請求項１乃至４いずれかに記載の受信端末において、
前記提示部が前記ユーザに前記配信情報を提示してから所定の時間が経過したとき、前記受信端末は前記記憶部から前記配信情報を消去することを特徴とする受信端末。
【請求項６】
請求項１乃至５いずれかに記載の受信端末において、
前記キーワード抽出部は、前記記憶部に格納されている前記処理情報に比較的多く含まれる単語を前記キーワードとして抽出することを特徴とする受信端末。
【請求項７】
請求項１乃至６いずれかに記載の受信端末において、
前記ネットワークはインターネットであって、
前記通信処理部は、前記ネットワーク上のウェブサイトに関するウェブ情報を前記記憶部に格納し、
前記キーワード抽出部は、前記記憶部に格納された前記ウェブ情報から前記キーワードを抽出することを特徴とする受信端末。
【請求項８】
請求項１乃至７いずれかに記載の受信端末において、
前記キーワード抽出部は、前記記憶部に格納されたデータファイルが有する文字情報を取得し、前記文字情報から前記キーワードを抽出することを特徴とする受信端末。
【請求項９】
請求項１乃至８いずれかに記載の受信端末において、
前記記憶部は、複数の前記キーワードが関連付けられて格納されるキーワードデータベース部を含み、
前記キーワード抽出部は、抽出した一のキーワードと関連付けられる他のキーワードを前記キーワードデータベース部から取得し、前記キーワード判定部は、前記一のキーワードと前記他のキーワードとを前記キーワードとして用いることを特徴とする受信端末。
【請求項１０】
情報配信サーバからネットワークを介してプッシュ型で配信される配信情報を受信する受信端末の配信情報提示方法であって、
前記ネットワークを介して前記配信情報を受信する配信情報受信ステップと、
ユーザの操作入力に基づいて生成されたスケジュール情報が前記配信情報の受信時間に設定されているか否かを判定するスケジュール判定ステップと、
前記受信端末に格納されている処理情報から前記受信端末のユーザの関心分野を表すキーワードを抽出するキーワード抽出ステップと、
前記配信情報に前記キーワードが含まれるか否かを判定するキーワード判定ステップと、
前記スケジュール判定ステップにて前記スケジュール情報が前記配信情報の受信時間に設定されていないと判定したとき、かつ前記キーワード判定ステップにて前記キーワードが前記配信情報に含まれると判定したとき、前記受信端末が前記配信情報を受信したことを提示する提示ステップと、
を備えることを特徴とする受信端末の配信情報提示方法。
【請求項１１】
請求項１０に記載の受信端末の配信情報提示方法において、
前記スケジュール情報は前記ユーザの操作入力に基づいて複数のカテゴリのいずれかに区分されて生成され、
前記スケジュール判定ステップにて前記スケジュール情報が前記配信情報の受信時間に設定されていると判定したとき、前記スケジュール情報が区分されている前記カテゴリに対応しているカテゴリワードを取得して、前記カテゴリワードが前記配信情報に含まれるか否か判定するカテゴリ判定ステップと、を備え
前記カテゴリ判定ステップにて前記カテゴリワードが前記配信情報に含まれると判定したとき、前記提示ステップにて前記受信端末が前記配信情報を受信したことを提示することを特徴とする受信端末の配信情報提示方法。
【請求項１２】
請求項１１に記載の受信端末の配信情報提示方法において、
前記カテゴリ判定ステップにて前記カテゴリワードが前記配信情報に含まれないと判定したとき、前記配信情報の再送要求を前記情報配信サーバへ送信する再送要求ステップを備えることを特徴とする受信端末の配信情報提示方法。
【請求項１３】
請求項１０乃至１２いずれかに記載の受信端末の配信情報提示方法において、
前記キーワード判定ステップにて前記配信情報が前記キーワードと一致する単語を含まないと判定したとき、前記配信情報を消去することを特徴とする受信端末の配信情報提示方法。
【請求項１４】
請求項１０乃至１３いずれかに記載の受信端末の配信情報提示方法において、
前記提示ステップにて前記ユーザに前記配信情報を提示してから所定の時間が経過したとき、前記配信情報を消去することを特徴とする受信端末の配信情報提示方法。
【請求項１５】
情報配信サーバからネットワークを介してプッシュ型で配信される配信情報を受信する受信端末のプロセッサに実行させるプログラムであって、
前記ネットワークを介して前記配信情報を受信する配信情報受信処理と、
ユーザの操作入力に基づいて生成されたスケジュール情報が前記配信情報の受信時間に設定されているか否かを判定するスケジュール判定処理と、
前記受信端末に格納されている処理情報から前記受信端末のユーザの関心分野を表すキーワードを抽出するキーワード抽出処理と、
前記配信情報に前記キーワードが含まれるか否かを判定するキーワード判定処理と、
前記スケジュール判定処理にて前記スケジュール情報が前記配信情報の受信時間に設定されていないと判定したとき、かつ前記キーワード判定処理にて前記キーワードが前記配信情報に含まれると判定したとき、前記受信端末が前記配信情報を受信したことを提示する提示処理と、
を受信端末のプロセッサに実行させることを特徴とするプログラム。
【発明の詳細な説明】
【技術分野】
【０００１】
本発明は、受信端末、受信端末の配信情報提示方法およびプログラムに関する。特に、無線通信可能な移動通信端末、移動通信端末の配信情報提示方法およびプログラムに関する。
【背景技術】
【０００２】
近年、インターネットの利用率が高まるとともに、携帯電話機や家庭用コンピュータ等のインターネットに接続可能な端末に対してニュース情報や広告情報等をプッシュ型配信するサービスの多様化が著しい。しかし、その多くはインターネットユーザにとって無用な情報であるため、インターネットユーザの多くは、大量に配信される情報から必要な情報を取り出すフィルタリング処理を端末に設定している。しかし、このようなフィルタリング処理を設定するには、事前に煩雑な操作が必要であり、インターネットユーザの負担となっていた。この負担を軽減するための技術がこれまでにも種々考案されてきた。
【０００３】
この種の技術として、特許文献１（特開２００６−２４６３８８号公報）には、車載される狭域無線通信用受信装置であって、基地局からプッシュ型で配信される配信情報を受信して、当該配信情報が属するカテゴリを検出し、検出されたカテゴリと車載されている自動車の運転状況とに基づいてドライバーに配信情報の提示処理を選択的に実行する狭域無線通信用受信装置が記載されている。具体的には、観光地が目的地になっているときは目的地近辺で名物品、土産物情報を受信したら提示し、自宅近辺もしくは中間地域では買い物情報を廃棄することができる。また、目的地設定されていないときは買い得品情報を受信したら提示することができる。さらに、ナビゲーション中に分岐地点に差しかかったときに配信情報を提示するのは危険なので、分岐を過ぎるまで配信情報の提示を遅らさせることもできる。
【特許文献１】特開２００６−２４６３８８号公報
【発明の開示】
【発明が解決しようとする課題】
【０００４】
しかしながら上記技術は、以下の点で改善の余地を有していた。すなわち、特許文献１の技術は、配信情報を階層化されたカテゴリに分け、配信情報のカテゴリとユーザの行動パターン（自動車の運転状況や位置情報）と組み合わせて配信情報の提示処理を選択的に実行することができるが、配信情報のカテゴリと行動パターンとの組み合わせについては、予め設定する必要がある。ユーザの趣味・嗜好に合わせるためにカテゴリを増やすほど、配信情報のカテゴリと行動パターンとの組み合わせは複雑化し、ユーザによる事前設定の手間は大きくなる。
【０００５】
本発明は上記事情に鑑みてなされたものであり、その目的とするところは、プッシュ型で配信される配信情報からユーザの関心ある配信情報を選択し、選択した配信情報をユーザの行動パターンに合わせて提示する受信端末において、当該受信端末の事前設定におけるユーザの手間を省くことができる受信端末、受信端末の配信情報提示方法およびプログラムを提供することにある。
【課題を解決するための手段】
【０００６】
本発明によれば、情報配信サーバからネットワークを介してプッシュ型で配信される配信情報を受信する受信端末であって、前記受信端末が処理した処理情報を格納する記憶部と、前記ネットワークを介して前記配信情報を受信する通信部と、前記通信部が受信した前記配信情報を前記記憶部に格納させる通信処理部と、操作入力部が受け付けたユーザの操作入力に基づいてスケジュール情報を生成し、前記スケジュール情報を前記記憶部に格納させるスケジュール管理部と、前記記憶部から取得した前記スケジュール情報が前記配信情報の受信時間に設定されているか否かを判定するスケジュール判定部と、前記記憶部から取得した前記処理情報からユーザの関心分野を表すキーワードを抽出するキーワード抽出部と、前記キーワードが前記配信情報に含まれるか否かを判定するキーワード判定部と、前記スケジュール判定部が、前記スケジュール情報が前記配信情報の受信時間に設定されていないと判定したとき、かつ前記キーワード判定部が、前記キーワードが前記配信情報に含まれると判定したとき、前記受信端末が前記配信情報を受信したことを提示させる提示処理部と、前記提示処理部に制御されて前記受信端末が前記配信情報を受信したことを提示する提示部と、を備えることを特徴とする受信端末が提供される。
【０００７】
また、発明によれば、情報配信サーバからネットワークを介してプッシュ型で配信される配信情報を受信する受信端末の配信情報提示方法であって、前記ネットワークを介して前記配信情報を受信する配信情報受信ステップと、ユーザの操作入力に基づいて生成されたスケジュール情報が前記配信情報の受信時間に設定されているか否かを判定するスケジュール判定ステップと、前記受信端末に格納されている処理情報から前記受信端末のユーザの関心分野を表すキーワードを抽出するキーワード抽出ステップと、前記配信情報に前記キーワードが含まれるか否かを判定するキーワード判定ステップと、前記スケジュール判定ステップにて前記スケジュール情報が前記配信情報の受信時間に設定されていないと判定したとき、かつ前記キーワード判定ステップにて前記キーワードが前記配信情報に含まれると判定したとき、前記受信端末が前記配信情報を受信したことを提示する提示ステップと、を備えることを特徴とする受信端末の配信情報提示方法が提供される。
【０００８】
さらに、本発明によれば、情報配信サーバからネットワークを介してプッシュ型で配信される配信情報を受信する受信端末のプロセッサに実行させるプログラムであって、前記ネットワークを介して前記配信情報を受信する配信情報受信処理と、ユーザの操作入力に基づいて生成されたスケジュール情報が前記配信情報の受信時間に設定されているか否かを判定するスケジュール判定処理と、前記受信端末に格納されている処理情報から前記受信端末のユーザの関心分野を表すキーワードを抽出するキーワード抽出処理と、前記配信情報に前記キーワードが含まれるか否かを判定するキーワード判定処理と、前記スケジュール判定処理にて前記スケジュール情報が前記配信情報の受信時間に設定されていないと判定したとき、かつ前記キーワード判定処理にて前記キーワードが前記配信情報に含まれると判定したとき、前記受信端末が前記配信情報を受信したことを提示する提示処理と、を受信端末のプロセッサに実行させることを特徴とするプログラムが提供される。
【発明の効果】
【０００９】
本発明によれば、ユーザの関心分野を表すキーワードを記憶部に蓄積された処理情報から抽出し、抽出されたキーワードとスケジュール管理部によって生成されたスケジュール情報とに基づいて配信情報の提示を選択的に実行するので、提示処理を選択するためにユーザが事前設定をする手間を省くことができる受信端末、受信端末の配信情報提示方法およびプログラムが提供される。
【発明を実施するための最良の形態】
【００１０】
以下、本発明の実施の形態について、図面を用いて説明する。尚、すべての図面において、同様な構成要素には同様の符号を付し、適宜説明を省略する。
【００１１】
図１は、本発明の実施の形態に係る受信端末の構成図である。受信端末１は、情報配信サーバ２からネットワーク３を介してプッシュ型で配信される配信情報を受信する受信端末１であって、受信端末１が処理した処理情報を格納する記憶部１４と、ネットワーク３を介して配信情報を受信する通信部１１と、通信部１１が受信した配信情報を記憶部１４に格納させる通信処理部１３１と、操作入力部１２が受け付けたユーザの操作入力に基づいてスケジュール情報を生成し、スケジュール情報を記憶部１４に格納させるスケジュール管理部１３４と、記憶部１４から取得したスケジュール情報が配信情報の受信時間に設定されているか否かを判定するスケジュール判定部１３８と、記憶部１４から取得した処理情報からユーザの関心分野を表すキーワードを抽出するキーワード抽出部１３５と、キーワードが配信情報に含まれるか否かを判定するキーワード判定部１３７と、スケジュール判定部１３８が、スケジュール情報が配信情報の受信時間に設定されていないと判定したとき、かつキーワード判定部１３７が、キーワードが配信情報に含まれると判定したとき、受信端末１が配信情報を受信したことを提示させる提示処理部１３３と、提示処理部１３３に制御されて受信端末１が配信情報を受信したことを提示する提示部１５と、を備えることができる。
【００１２】
受信端末１は、移動通信端末であってもよい。この場合、通信部１１は無線通信によってネットワーク３に接続してもよい。
【００１３】
操作入力部１２は、ユーザがキーを押下して操作入力する方式であってもよく、操作画面に触れることで操作入力する方式であってもよく、ユーザが発声した声を認識して操作入力する方式であってもよい。また、操作入力部１２は複数の方式を兼ね備えてもよい。
【００１４】
データ処理部１３は、上述の提示処理部１３３、スケジュール管理部１３４、キーワード抽出部１３５、キーワード判定部１３７およびスケジュール判定部１３８を含んでもよい。また、通信処理部１３１、再送要求部１３２およびカテゴリ判定部１３６を含んでもよく、これらの構成については後述する。
【００１５】
提示部１５は、映像出力部１５１と音声出力部１５２とを含んでもよい。また、提示処理部１３３は、映像データまたは音声データを生成して、映像データに基づいて映像を映像出力部１５１から出力してもよく、または音声データに基づいて音声を音声出力部１５２から出力してもよい。
【００１６】
本実施形態の受信端末１の構成の全部または一部は、ハードウェアで実現されてもよいし、あるいは、プロセッサに処理を実行させるプログラム（またはプログラムコード）で実現されてもよい。プロセッサは、不揮発性メモリなどの記録媒体からそのプログラムを読み出し実行する。本実施形態において、プロセッサはデータ処理部１３であってもよく、メモリは記憶部１４であってもよい。
【００１７】
受信端末１に含まれる機能がプログラムで実現される場合、当該プログラムは、情報配信サーバ２からネットワーク３を介してプッシュ型で配信される配信情報を受信する受信端末１のプロセッサに実行させるプログラムであって、ネットワーク３を介して配信情報を受信する配信情報受信処理と、ユーザの操作入力に基づいて生成されたスケジュール情報が配信情報の受信時間に設定されているか否かを判定するスケジュール判定処理と、受信端末１に格納されている処理情報から受信端末１のユーザの関心分野を表すキーワードを抽出するキーワード抽出処理と、配信情報にキーワードが含まれるか否かを判定するキーワード判定処理と、スケジュール判定処理にてスケジュール情報が配信情報の受信時間に設定されていないと判定したとき、かつキーワード判定処理にてキーワードが配信情報に含まれると判定したとき、受信端末１が配信情報を受信したことを提示する提示処理と、を受信端末１のプロセッサに実行させてもよい。
【００１８】
また、スケジュール管理部１３４は、操作入力部１２が受け付けたユーザの操作入力に基づいてスケジュール情報を複数のカテゴリのいずれかに区分して生成し、記憶部１４は、各カテゴリとカテゴリに対応しているカテゴリワードとを関連付けて格納するカテゴリデータベース部１４１を含み、スケジュール判定部１３８が、スケジュール情報が配信情報の受信時間に設定されていると判定したとき、カテゴリデータベース部１４１からスケジュール情報が区分されているカテゴリに関連付けられているカテゴリワードを取得して、カテゴリワードが配信情報に含まれるか否か判定するカテゴリ判定部１３６を受信端末１は備え、カテゴリ判定部１３６が、カテゴリワードが配信情報に含まれると判定したとき、提示処理部１３３は、受信端末１が配信情報を受信したことを提示部１５に提示させてもよい。
【００１９】
図２は、カテゴリデータベース部１４１に格納されるテーブルの一例を表す図である。図２に示すようにカテゴリそれぞれに対してカテゴリワードが対応付けられており、カテゴリワードが複数の場合、カテゴリワードをａｎｄ条件で用いるのか、ｏｒ条件で用いるのか定められている。たとえば、ユーザが「外出」カテゴリを選択しているスケジュール情報が設定されている時間帯については交通情報や天気情報が有用なので、「外出」カテゴリには「交通」と「天気」とがｏｒ条件でカテゴリワードとして関連付けられてもよい。これによって、受信端末１は、当該スケジュール情報が設定されている時間に配信情報を受信すると、カテゴリ判定部１３６はカテゴリデータベース部１４１から「交通」と「天気」をカテゴリワードとしてとして取得し、提示処理部１３３は受信した配信情報の中から「交通」または「天気」を含む配信情報を提示部１５に提示させることもできる。
【００２０】
また、たとえばユーザが「食事」カテゴリを選択しているスケジュール情報が設定されている時間帯については食事に関連するサービス情報が有用なので、「グルメ」と「クーポン」とがａｎｄ条件でカテゴリワードとして関連付けられてもよい。これによって、受信端末１は、当該スケジュール情報が設定されている時間に配信情報を受信すると、カテゴリ判定部１３６はカテゴリデータベース部１４１から「グルメ」と「クーポン」をカテゴリワードとして取得し、提示処理部１３３は受信した配信情報の中から「グルメ」と「クーポン」双方を含む配信情報を提示部１５に提示させることもできる。
【００２１】
さらに、たとえばユーザが「会議」カテゴリを選択しているスケジュール情報が設定されている時間帯にユーザが受信端末１を用いて配信情報を確認することは難しい。「会議」カテゴリに対してカテゴリワードを設定しないことによって、当該スケジュール情報が設定されている時間に配信情報を受信するとき、カテゴリ判定部１３６は、カテゴリワードが配信情報に含まれないと判定することもできる。カテゴリ判定部１３６が、カテゴリワードが配信情報に含まれないと判定したとき、通信部１１に配信情報の再送要求を情報配信サーバ２へ送信させる再送要求部１３２を受信端末１は備えてもよい。
【００２２】
なお、再送要求部１３２は、当該スケジュール情報が設定されている時間帯の後に配信情報を再送するように情報配信サーバ２に要求してもよい。
【００２３】
さらに、ユーザがスケジュール情報に対していずれのカテゴリも区分しないとき、カテゴリデータベース部１４１からカテゴリワードを取得できないので、カテゴリ判定部１３６はカテゴリワードが配信情報に含まれないと判定してもよい。この場合も、再送要求部１３２は通信部１１に配信情報の再送要求を情報配信サーバ２へ送信させてもよい。
【００２４】
なお、キーワード判定部１３７が、配信情報がキーワードと一致する単語を含まないと判定したとき、データ処理部１３（受信端末１）は記憶部１４から配信情報を消去してもよい。さらに、提示部１５がユーザに配信情報を提示してから所定の時間が経過したとき、データ処理部１３（受信端末１）は記憶部１４から配信情報を消去してもよい。これによって、記憶部１４に蓄積される処理情報を削減することができる。
【００２５】
ここで、キーワード抽出部１３５のキーワード抽出方法について述べる。キーワード抽出部１３５は、記憶部１４に格納されている処理情報に比較的多く含まれる単語をキーワードとして抽出してもよい。これによって、一時的に記憶部１４に格納される処理情報のキーワード抽出に対する影響度が低くなる。すなわち、本実施形態において、情報配信サーバ２から配信される配信情報は、受信端末１に受信されて記憶部１４に一時的に格納されるが、上記のように消去されるので、キーワード抽出部１３５が行うキーワード抽出処理に与える影響は少ない。
【００２６】
また、ネットワーク３はインターネットであって、通信処理部１３１は、ネットワーク３上のウェブサイトに関するウェブ情報を記憶部１４に格納してもよく、キーワード抽出部１３５は、記憶部１４に格納されたウェブ情報を取得し、ウェブ情報からキーワードを抽出してもよい。記憶部１４に格納されたウェブ情報としては、ウェブページに含まれる文字、当該ウェブページのタイトル、ブックマークとして登録されているＵＲＬおよび当該ブックマークの登録名を含んでもよい。
【００２７】
さらに、キーワード抽出部１３５は、記憶部１４に格納されたデータファイルが有する文字情報を取得し、当該文字情報からキーワードを抽出してもよい。たとえば、文字情報は記憶部１４に格納された文書データファイル、電子メールデータファイル等のファイル名または本文に含まれる文字を含んでもよい。さらに、文字情報は記憶部１４に格納された音楽データファイルが有する曲名、アーティスト名、作曲者、作詞者および販売元のいずれかを含んでもよく、動画データファイルが有するタイトル、製作者および配信元のいずれかを含んでもよい。
【００２８】
さらに、記憶部１４は、複数のキーワードが関連付けられて格納されるキーワードデータベース部１４２を含み、キーワード抽出部１３５は、抽出した一のキーワードと関連付けられる他のキーワードをキーワードデータベース部１４２から取得し、キーワード判定部１３７は、一のキーワードと他のキーワードとをキーワードとして用いてもよい。
【００２９】
図３は、キーワードデータベース部１４２に格納されるテーブルの一例を表す図である。たとえば、キーワードデータベース部１４２に格納されるテーブルはある音楽グループ名（図３では○○○○）と、当該音楽グループの所属アーティスト名（図３では△△△△）と、当該音楽グループのリリース曲名（図３では××××）と、当該音楽グループの所属事務所名（図３では□□□□）とを関連付けてもよい。このとき、キーワード抽出部１３５が当該音楽グループ名を抽出したとき、キーワード判定部１３７当該音楽グループ名に基づいてキーワードデータベース部１４２から所属アーティスト名やリリース曲名を取得し、当該音楽グループ名とともに所属アーティスト名、リリース曲名および所属事務所名をキーワードとして用いてもよい。また、当該テーブルは、その音楽グループ名と、「音楽」、「ミュージック」、「ミュージシャン」といったより広い概念の言葉を関連付けてもよく、キーワード判定部１３７は当該音楽グループ名に基づいてキーワードデータベース部１４２から「音楽」、「ミュージック」または「ミュージシャン」をキーワードとして取得してもよい。
【００３０】
キーワードデータベース部１４２に格納されるテーブルは、ユーザの操作入力に基づいて生成されてもよく、配信情報の配信元によって作成され、情報配信サーバからネットワーク３を介して取得してもよい。ユーザの手間が省けるので、後者が望ましい。
【００３１】
図４は、本実施形態に係る受信端末の配信情報提示方法のフローチャートである。情報配信サーバ２からネットワーク３を介してプッシュ型で配信される配信情報を受信する受信端末１の配信情報提示方法であって、ネットワーク３を介して配信情報を受信する配信情報受信ステップ（ステップＳ１０１）と、ユーザの操作入力に基づいて生成されたスケジュール情報が配信情報の受信時間に設定されているか否かを判定するスケジュール判定ステップ（ステップＳ１０２）と、受信端末１に格納されている処理情報から受信端末１のユーザの関心分野を表すキーワードを抽出するキーワード抽出ステップ（ステップＳ１０４）と、配信情報にキーワードが含まれるか否かを判定するキーワード判定ステップ（ステップＳ１０５）と、スケジュール判定ステップにてスケジュール情報が配信情報の受信時間に設定されていないと判定したとき（ステップＳ１０３のＮＯ）、かつキーワード判定ステップにてキーワードが配信情報に含まれると判定したとき（ステップＳ１０６ＹＥＳ）、受信端末１が配信情報を受信したことを提示する提示ステップ（ステップＳ１０７）と、を備えることができる。
【００３２】
また、スケジュール情報はユーザの操作入力に基づいて複数のカテゴリのいずれかに区分されて生成され、スケジュール判定ステップにてスケジュール情報が配信情報の受信時間に設定されていると判定したとき（ステップＳ１０３のＹＥＳ）、スケジュール情報が区分されているカテゴリに関連付けられているカテゴリワードが配信情報に含まれるか否か判定するカテゴリ判定ステップ（ステップＳ１１０）を備え、カテゴリ判定ステップにてカテゴリワードが配信情報に含まれると判定したとき（ステップＳ１１１のＹＥＳ）、提示ステップにて（ステップＳ１０７）受信端末１が配信情報を受信したことを提示してもよい。
【００３３】
さらに、カテゴリ判定ステップにてカテゴリワードが配信情報に含まれないと判定したとき（ステップＳ１１１のＮＯ）、配信情報の再送要求を情報配信サーバ２へ要求する再送要求ステップ（ステップＳ１１２）を備えてもよい。なお、再送要求ステップにて（ステップＳ１１２）配信情報の再送要求を情報配信サーバ２へ要求したのちに、配信情報を消去してもよい（ステップＳ１０９）。
【００３４】
さらに、キーワード判定ステップにて配信情報がキーワードと一致する単語を含まないと判定したとき（ステップＳ１０６のＮＯ）、配信情報を消去してもよい（ステップＳ１０９）。
【００３５】
さらに、提示ステップにてユーザに配信情報を提示してから所定の時間が経過したとき（ステップＳ１０８のＹＥＳ）、配信情報を消去してもよい（ステップＳ１０９）。
【００３６】
さらに、提示ステップにてユーザに配信情報を提示してから所定の時間が経過していないとき（ステップＳ１０８のＮＯ）、受信端末１が配信情報を受信したことを提示し続けてもよい。
【００３７】
ここで、本実施形態の効果について述べる。本実施形態の受信端末１は、ユーザの関心分野を表すキーワードを記憶部１４に蓄積された処理情報から抽出し、抽出されたキーワードとスケジュール管理部１３４が生成したスケジュール情報とに基づいて配信情報の提示を選択的に実行するので、ユーザが行う事前設定はスケジュール情報を生成するための操作入力だけでもよい。また、スケジュール情報を生成する本来の目的は、スケジュール管理機能を実現することであり、フィルタリング処理を受信端末１に施すためだけのユーザの操作入力はなくてもよい。
【００３８】
また、スケジュール情報が設定されている時間帯において、受信端末１は、受信した配信情報のうち当該スケジュール情報が区分されたカテゴリに対応するカテゴリワードを含む配信情報を提示するので、ユーザの行動パターンに適した配信情報をユーザは確認することもできる。
【００３９】
さらに、スケジュール情報が設定されている時間帯において、受信端末１は、カテゴリワードが含まれない配信情報を消去して、当該配信情報を再送するように情報配信サーバ２へ要求するので、ユーザは都合の良いときに配信情報を確認することもできる。
【００４０】
さらに、スケジュール情報が設定されていない時間帯において、記憶部１４に格納されている処理情報からキーワードを抽出し、このキーワードを含む配信情報を提示し、キーワードを含まない配信情報を消去するので、ユーザは自身の趣味・趣向に適した配信情報を自身の都合の良いときに確認することもできる。
【００４１】
さらに、記憶部１４に格納された処理情報から抽出された一のキーワードとともに一のキーワードに関連付けられた他のキーワードもキーワードとして用いることができるので、ユーザが使用する単語にキーワードが限定されず、ユーザは自身の趣味・趣向に関連する配信情報を幅広く確認することができる。
【００４２】
以上、図面を参照して本発明の実施形態について述べたが、これらは本発明の例示であり、上記以外の様々な構成を採用することもできる。
【００４３】
たとえば、受信端末１が配信情報を受信したことをユーザに対して提示する方法として、映像または音声による提示方法を記載したが、これに限らなくてもよい。他の提示方法として、バイブレーション機能を用いる方法や、ランプの点灯または点滅を用いる方法等が用いられてもよい。
【００４４】
また、ネットワーク３はローカルネットワークであってもよい。この場合、受信端末１はインターネットに接続するための構成を別途備えてもよい。
【００４５】
さらに、記憶部１４に格納されたデータファイルを受信端末１の外部から取得する場合、その取得経路は通信部１１に限らなくてもよい。たとえば、受信端末１は赤外線通信機能または非接触ＩＣカード機能を備え、これらを用いて取得したものでもよい。
【００４６】
さらに、スケジュール管理部１３４がスケジュール情報を生成する際に、ある時間帯にスケジュール情報を設定する例を挙げたが、これに限らない。たとえば、スケジュール管理部１３４は「○○時、起床」等、所定の時間に対してスケジュール情報を設定することが可能でもよい。また、スケジュール判定部１３８は所定の時間に対して設定されたスケジュール情報に基づいて判定してもよい。
【図面の簡単な説明】
【００４７】
【図１】本発明の実施の形態に係る受信端末の構成図である。
【図２】本発明の実施の形態に係る受信端末が備えるカテゴリワードデータベース部に格納されるテーブルの一例を表す図である。
【図３】本発明の実施の形態に係る受信端末が備えるキーワードデータベース部に格納されるテーブルの一例を表す図である。
【図４】本発明の実施の形態に係る受信端末の配信情報提示方法のフローチャートである。
【符号の説明】
【００４８】
１     受信端末
１１   通信部
１２   操作入力部
１３   データ処理部
１３１ 通信処理部
１３２ 再送要求部
１３３ 提示処理部
１３４ スケジュール管理部
１３５ キーワード抽出部
１３６ カテゴリ判定部
１３７ キーワード判定部
１３８ スケジュール判定部
１４   記憶部
１４１ カテゴリデータベース部
１４２ キーワードデータベース部
１５   提示部
１５１ 映像出力部
１５２ 音声出力部
２     情報配信サーバ
３     ネットワーク
【図１】
2010103902.tif 000003
【図２】
2010103902.tif 000004
【図３】
2010103902.tif 000005
【図４】
2010103902.tif 000006